(57)【特許請求の範囲】
【請求項１】
カメラ付き玄関子機と、カメラ無し玄関子機と、マイク付きまたはマイク無し監視カメラと、玄関前の状況を検出するセンサとを選択して接続する室内親機を有するテレビドアホン装置であって、前記室内親機は、前記カメラ付き玄関子機または前記監視カメラを接続可能なカメラ付き玄関子機接続手段と、前記カメラ無し玄関子機または前記センサを接続可能なカメラ無し玄関子機接続手段と、前記カメラ無し玄関子機接続手段に接続された玄関子機がカメラ無し玄関子機かセンサかを判定するカメラ無し玄関子機接続判定手段と、前記カメラ無し玄関子機接続判定手段の判定結果により通話路をカメラ無し玄関子機接続手段側にするかカメラ付き玄関子機接続手段側にするかを切り替える通話路切替手段と、を具備し、前記カメラ無し玄関子機接続手段にカメラ無し玄関子機が接続されている場合は、通話路をカメラ無し玄関子機接続手段側に切り替え、前記カメラ無し玄関子機接続手段にセンサが接続されている場合は、通話路をカメラ付き玄関子機接続手段側に切り替えることを特徴とするテレビドアホン装置。
【請求項２】
前記室内親機は、前記カメラ無し玄関子機接続判定手段の判定結果により接続されたものがカメラ無し玄関子機であるかセンサであるかどうかを記憶するカメラ無し玄関子機接続有無記憶手段と、前記カメラ無し玄関子機接続有無記憶手段の記憶内容に従って通話路をカメラ無し玄関子機側にするかカメラ付き玄関子機側にするかを切り替えるように前記通話路切替手段の動作を指示するスイッチ手段と、を具備し、前記スイッチ手段が操作されると、前記通話路切替手段が、前記カメラ無し玄関子機接続有無記憶手段の記憶内容がカメラ無し玄関子機の場合は、通話路をカメラ無し玄関子機接続手段側に切り替え、前記カメラ無し玄関子機接続有無記憶手段の記憶内容がセンサの場合は、通話路をカメラ付き玄関子機接続手段側に切り替えることを特徴とする請求項１記載のテレビドアホン装置。
【発明の詳細な説明】
【０００１】
【発明の属する技術分野】
本発明は、複数のカメラ付き玄関子機によって屋内からそれぞれの戸外の来客の様子を映像で確認するためのテレビドアホン装置に関する。
【０００２】
【従来の技術】
図４は本願出願人が先に出願した特願平８−３５４４７４号に記載されたテレビドアホン装置の概略構成を示している。図４において、１と２はカメラ付き玄関子機であり、モニタ付き室内親機３に２線で接続されている。４は通常のカメラ無し玄関子機で、カメラ付き玄関子機２が接続されている端子とは別端子にカメラ無し玄関子機４が接続されることになる。モニタ付き室内親機３には、通話回路、映像復調回路、ＣＲＴ、電源回路、着信検出回路、着信鳴動回路、カメラ給電回路、データ送受回路、ＦＭＡＧＣ回路と、これらを制御する制御回路とが内蔵されている。５、６はモニタ付き室内子機である。
【０００３】
次に上記装置の動作について説明する。図４において、来客によってカメラ付き玄関子機の１か２もしくはカメラ無し玄関子機４のどれかの呼出ボタンが押されると、２線を介してモニタ付き室内親機３の着信検出回路に入力され、制御回路に起動がかけられ、着信鳴動回路へ着信音（ピンポン）を送出すると共に、カメラ付き玄関子機１か２の場合はカメラ給電回路に起動がかかり、カメラ付き玄関子機１か２に給電される。制御回路は、ＣＲＴに電源を給電し、それによってＣＲＴが起動し、カメラ付き玄関子機１、２から送出される変調信号を映像復調回路で受信し、復調された映像信号をＣＲＴで映し出すと共に、変調信号がＦＭＡＧＣ回路を介してモニタ付き室内子機５、６へ出力される。さらに、データ送受回路を介して接続されているモニタ付き室内子機５、６に対しても、どの玄関子機からの着信かをデータにより知らせる。その後、受話器をあげれば通話回路を介してカメラ付き玄関子機１、２と通話できる。
【０００４】
このように、上記のテレビドアホン装置でも着信によって来客の映像を映し出し、着信音を鳴動させると共に、接続されたモニタ付き室内子機５、６に着信起動をかけることができる。
【０００５】
【発明が解決しようとする課題】
しかしながら、上記のテレビドアホン装置を含め、従来のテレビドアホン装置は、ドアホン子機としてカメラ付き子機またはカメラ無し子機以外は接続することができなかった。本発明が解決しようとする課題は、テレビドアホン装置の機能をさらに拡大することであり、その第１の目的は、監視カメラとセンサを使って、誰かが近づいた時に、その監視カメラの映像をテレビドアホンで知り、状況を確認できるようにすること、第２の目的は、監視カメラとカメラ無し玄関子機を使って、玄関子機の呼出スイッチを押した時に、監視カメラの映像をテレビドアホンで確認しながらカメラ無し玄関子機と双方向通話できるようにすること、第３の目的は、カメラ付き玄関子機と監視カメラを使って、カメラ付き玄関子機からの呼び出しは、従来例どおり対応でき、なおかつ監視カメラの映像をモニタできるようにすることである。
【０００６】
【課題を解決するための手段】
上記目的を達成するために、本発明のテレビドアホン装置は、カメラ付き玄関子機と、カメラ無し玄関子機と、マイク付きまたはマイク無し監視カメラと、玄関前の状況を検出するセンサとを選択して接続する室内親機を有し、この室内親機が、カメラ付き玄関子機または監視カメラを選択時に接続可能なカメラ付き玄関子機接続手段と、カメラ無し玄関子機またはセンサを選択時に接続可能なカメラ無し玄関子機接続手段と、カメラ無し玄関子機接続手段に接続された玄関子機がカメラ無し玄関子機かセンサかを判定するカメラ無し玄関子機接続判定手段と、カメラ無し玄関子機接続判定手段の判定結果により通話路をカメラ無し玄関子機接続手段側にするかカメラ付き玄関子機接続手段側にするかを切り替える通話路切替手段と、を備え、カメラ無し玄関子機接続手段にカメラ無し玄関子機が接続されている場合は、通話路をカメラ無し玄関子機接続手段側に切り替え、カメラ無し玄関子機接続手段にセンサが接続されている場合は、通話路をカメラ付き玄関子機接続手段側に切り替えるようにしたものである。これにより、テレビドアホン装置を種々の監視システムとして使用することができ、その機能を拡大することができ、例えば通常のテレビドアホン装置では発見できない不審な人物も発見することができる。
【０００８】
【発明の実施の形態】
本発明の請求項１に記載の発明は、カメラ付き玄関子機と、カメラ無し玄関子機と、マイク付きまたはマイク無し監視カメラと、玄関前の状況を検出するセンサとを選択して接続する室内親機を有するテレビドアホン装置において、室内親機が、カメラ付き玄関子機または監視カメラを選択時に接続可能なカメラ付き玄関子機接続手段と、カメラ無し玄関子機またはセンサを選択時に接続可能なカメラ無し玄関子機接続手段と、カメラ無し玄関子機接続手段に接続された玄関子機がカメラ無し玄関子機かセンサかを判定するカメラ無し玄関子機接続判定手段と、カメラ無し玄関子機接続判定手段の判定結果により通話路をカメラ無し玄関子機接続手段側にするかカメラ付き玄関子機接続手段側にするかを切り替える通話路切替手段と、を具備し、カメラ無し玄関子機接続手段にカメラ無し玄関子機が接続されている場合は、通話路をカメラ無し玄関子機接続手段側に切り替え、カメラ無し玄関子機接続手段にセンサが接続されている場合は、通話路をカメラ付き玄関子機接続手段側に切り替えるようにしたものであり、例えばカメラ付き玄関子機接続手段に監視カメラが接続されていれば、カメラ無し玄関子機接続手段からの入力により玄関子機からの着信かセンサによる入力かを判断することにより、カメラ無し玄関子機ならばこの玄関子機に通話路を切り替えて玄関の音声を聞くとともに監視カメラの映像を見ることができ、センサならば監視カメラ側に切り替えて映像を見ながら監視カメラのマイクから音声を聞くことができるという作用を有する。
【０００９】
請求項２に記載の発明は、請求項１記載のテレビドアホン装置において、室内親機が、カメラ無し玄関子機接続判定手段の判定結果により接続されたものがカメラ無し玄関子機であるかセンサであるかどうかを記憶するカメラ無し玄関子機接続有無記憶手段と、カメラ無し玄関子機接続有無記憶手段の記憶内容に従って通話路をカメラ無し玄関子機側にするかカメラ付き玄関子機側にするかを切り替えるように通話路切替手段の動作を指示するスイッチ手段と、を具備し、スイッチ手段が操作されると、通話路切替手段が、カメラ無し玄関子機接続有無記憶手段の記憶内容がカメラ無し玄関子機の場合は、通話路をカメラ無し玄関子機接続手段側に切り替え、カメラ無し玄関子機接続有無記憶手段の記憶内容がセンサの場合は、通話路をカメラ付き玄関子機接続手段側に切り替えるようにしたものであり、例えばカメラ付き玄関子機接続手段に監視カメラが接続されていれば、カメラ無し玄関子機接続有無記憶手段に玄関子機からの着信がセンサによる入力かを記憶することにより、スイッチ手段の操作により、記憶内容がカメラ無し玄関子機ならばこの玄関子機に通話路を切り替えて玄関の音声をモニタするとともに監視カメラの映像を見ることができ、記憶内容がセンサならば監視カメラ側に切り替えて映像を見ながら監視カメラのマイクから音声をモニタすることができるという作用を有する。
【００１１】
以下、本発明の実施の実施の形態を図面を参照しながら説明する。
（実施の形態１）
図１は本発明の第１の実施の形態におけるテレビドアホン装置の構成を示すブロック図である。図１において、１０は室内親機、１１はカメラ付き玄関子機（１）、１２はカメラ付き玄関子機（２）、１３はカメラ無し玄関子機、１４は室内子機、１５はカメラ付き玄関子機１１を接続するカメラ付き玄関子機続手段（１）、１６はカメラ付き玄関子機１２またはマイク付き監視カメラ４１のどちらか一方を接続するカメラ付き玄関子機接続手段（２）、１７はカメラ無し玄関子機１３または玄関前の状況を検出する人体センサのようなセンサ４２のどちらか一方を接続するカメラ無し玄関子機接続手段である。マイク付き監視カメラ４１は、カメラ付き玄関子機１１、１２とは離れた別の位置に設けられている。センサ４２は、カメラ無し玄関子機１３の近くに設けられている。室内親機１０において、１８は着信を検出する着信検出回路（１）、１９は着信検出回路（２）、２０は着信検出回路（３）、２１、２２はカメラ付き玄関子機接続手段１５、１６に接続される平衡化回路（１）と（２）、２３は映像信号切替回路、２４は映像復調回路、２５は表示手段、２６はカメラに給電するカメラ給電回路、２７は後方の室内子機１４に映像を送る映像信号ＡＧＣ、２８は平衡化回路（３）、２９はカメラ子機通話回路、３０はカメラ子機通話回路２９またはカメラ無し玄関子機接続手段１７から後方の室内子機１４に通話信号を送る玄関子機通話回路、３１はスピーカアンプ、３２はスピーカ、３３はハンドセット、３４はハンドセット３３と通話する通話通信ＩＣ、３５はドアホンの呼出音を送出する呼出音送出回路、３６は着信検出回路２０からの着信により玄関子機１３からの着信なのかセンサ４２からの着信かを判定するカメラ無し玄関子機接続判定手段、３７は映像信号切替回路２３からの信号によりＳＷ１を切り替えて子機接続手段１５または１６を選択するとともに、制御手段４０からの信号によりＳＷ２を切り替えて、通話路をカメラ無し玄関子機接続手段１７側にするかカメラ付き玄関子機接続手段１５または１６側にするかを切り替える通話路切替手段、３８はハンドセット３３のフックＳＷ、３９はＬＥＤ表示スイッチ入力手段、４０は通話通信ＩＣ３４により室内子機１４と通信のやりとりの指示をするとともに、着信検出回路１８、１９、２０、カメラ給電回路２６への指示、カメラ無し玄関子機接続判定手段３６、ハンドセットのフックスイッチ３８、呼出音送出回路３５、表示手段２５、ＬＥＤ表示スイッチ入力手段３９（カメラ（１）ＬＥＤ・カメラ（２）ＬＥＤ・室内呼スイッチ・モニタ（１）スイッチ、モニタ（２）スイッチ）、通話路切替手段３７等を制御する制御手段である。
【００１２】
以上のように構成された室内親機１０について、以下その動作について説明する。なお、カメラ付き玄関子機接続手段１６にはマイク付き監視カメラ４１が接続されているものとする。カメラ付き玄関子機１１からの着信の時は、従来一般のもと同じためここでは省略し、カメラ無し玄関子機接続手段１７からの着呼の時の動作について説明する。まず、カメラ無し玄関子機接続手段１７にカメラ無し玄関子機１３が接続され、その玄関子機１３から着信されたとき、着信検出回路２０がそれを検出するとともに、カメラ無し玄関子機接続判定手段３６は、カメラ無し玄関子機１３からの着信であることをその玄関子機１３固有の着信時のインピーダンスを検出することにより判定する。また、カメラ無し玄関子機接続手段１７に玄関子機以外の例えばセンサ４２が接続され、そのセンサ４２からの動作状態が入力されたときは、カメラ無し玄関子機接続判定手段３６は、センサ４２のインピーダンスから玄関子機以外のものからの入力であることを制御手段４０に伝える。これを受け、制御手段４０は、呼出音送出回路３５へ呼出音の送出指示をするとともに、カメラ無し玄関子機１３ならば、通話路切替手段３７によりＳＷ２を制御してカメラ無し玄関子機接続手段１７側に切り替えてカメラ無し玄関子機１３との通話ができるようにする。センサ４２ならば、通話路切替手段３７によりＳＷ１、ＳＷ２を制御して、カメラ子機通話回路２９側およびカメラ付き玄関子機接続手段１６側に切り替えて、マイク付き監視カメラ４１との音声のモニタが可能にする。
【００１３】
以上により、例えば▲１▼カメラ無し玄関子機接続手段１７にセンサ４２として人体センサを接続し、カメラ付き玄関子機接続手段１６にマイク付き監視カメラ４１を接続した時、人体センサ４２が人を検出した時に、監視カメラ４１に映し出された映像と音声をモニタすることができることになり、テレビドアホンを使った別の監視システムが構築できることになる。また、▲２▼カメラ無し玄関子機接続手段１７にカメラ無し玄関子機１３を接続し、カメラ付き玄関子機接続手段１６にマイク付き監視カメラ４１を接続した時は、従来どおりのカメラ無し玄関子機１３の呼び出しにより来客との双方向の通話ができるともに、その時に監視カメラ４１に映し出された映像をモニタできることになり、テレビドアホンを使った別の監視システムを構築できることになる。
【００１４】
なお、ここでは、マイク付き監視カメラ４１、センサ（人体センサ）４２で説明したが、マイク無し監視カメラでも良く、センサの種類は音、光、振動、熱、物体等を検出できれば何でも良い。
【００１５】
（実施の形態２）
次に、本発明の第２の実施の形態を図２を参照しながら説明する。本実施の形態２は図１に示した実施の形態１の構成にカメラ無し玄関子機接続有無記憶手段４３を追加したものであり、他の構成は実施の形態１と同じなので、同じ構成要素には同じ符号を付して重複した説明は省略する。カメラ無し玄関子機接続有無記憶手段４３は、カメラ無し玄関子機接続手段１７にカメラ無し玄関子機１３が接続されているのか、センサ４２が接続されているのかを記憶するものである。
【００１６】
以上のように構成された室内親機１０Ａについて、以下その動作について説明する。カメラ付き玄関子機１１、１２からの着信の時、およびカメラ無し玄関子機１３またはセンサ４２からの着信または入力の時の動作は、実施の形態１と同じであるため、ここでは、さらに室内親機１０ＡのＬＥＤ表示スイッチ入力手段３９のモニタ（１）、（２）ＳＷを押下した時の動作を説明する。モニタ（１）ＳＷは、カメラ付き玄関子機１１の映像を見るときに使用され、モニタ（２）ＳＷはカメラ付き玄関子機１２の映像を見るときに使用される。例えばモニタ（２）ＳＷを押下したとき、カメラ無し玄関子機接続有無記憶手段４３の記憶に従い、制御手段４０は、通話路切替手段３７を指示してＳＷ２を切り替え、通話路をカメラ無し玄関子機接続手段１７側にするか、カメラ付き玄関子機接続手段１５、１６側にするかを切り替えることになる。
【００１７】
これにより、例えば▲１▼カメラ無し玄関子機接続手段１７にセンサ４２を接続し、カメラ付き玄関子機接続手段１６にマイク付き監視カメラ４１を接続し、センサ４２が検出した物音等により監視カメラ４１に映し出された映像と音声をモニタするためにモニタ（２）ＳＷを押下すればモニタできることになり、テレビドアホンを使った別の監視システムが構築できることになる。また、▲２▼カメラ無し玄関子機接続手段１７にカメラ無し玄関子機１３を接続し、カメラ付き玄関子機接続手段１６にマイク付き監視カメラ４１を接続すれば、モニタ（２）ＳＷの押下により従来どおり玄関子機からのモニタができるともに、その時に監視カメラに映し出された映像をモニタできることになり、テレビドアホンを使った別の監視システムを構築できることになる。
【００１８】
（実施の形態３）
次に、本発明の第３の実施の形態について説明する。図３は本発明の第３の実施の形態におけるテレビドアホン装置の構成を示すブロック図である。図３において、１１０は室内親機、１１１はカメラ付き玄関子機（１）、１１２はカメラ付き玄関子機（２）、１１３は監視カメラ、１１４は室内子機、１１５はカメラ付き玄関子機１１１を接続するカメラ付き玄関子機接続手段、１１６はカメラ付き玄関子機１１２を接続するカメラ付き玄関子機接続手段（２）、１１７は監視カメラ１１３を接続する監視カメラ接続手段である。室内親機１１０において、１１８は着信を検出する着信検出回路（１）、１１９は着信検出回路（２）、１２０は監視カメラ接続手段１１７に接続される平衡化回路（３）、１２１、１２２はカメラ付き玄関子機接続手段１１５、１１６に接続される平衡化回路（１）と（２）、１２８は室内子機１１４に接続される平衡化回路（４）、１２３は映像信号切替回路、１２４は映像復調回路、１２５は表示手段、１２６はカメラに給電するカメラ給電回路、１２７は後方の室内子機１１４に映像を送る映像信号ＡＧＣ、１２９はカメラ子機通話回路、１３１はスピーカアンプ、１３２はスピーカ、１３３はハンドセット、１３４はハンドセット１３３と通話する通話通信ＩＣ、１３５はドアホンの呼出音を送出する呼出音送出回路、１３７は映像信号切替回路１２３および制御手段１４０からの信号によりＳＷ３を切り替えて、映像および通話路を監視カメラ接続手段１１７側にするかカメラ付き玄関子機接続手段１１５、１１６側にするかを切り替える通話路切替手段、１３８はハンドセット１３３のスイッチ、１３９はＬＥＤ表示スイッチ入力手段、１４０は通話通信ＩＣ１３４により室内子機１１４と通信のやりとりの指示をするとともに、着信検出回路１１８、１１９、カメラ給電回路１２６への指示、ハンドセットのフックＳＷ１３８、呼出音送出回路１３５、表示手段１２５、ＬＥＤ表示スイッチ入力手段１３９（カメラ（１）ＬＥＤ・カメラ（２）ＬＥＤ・室内呼ＳＷ・モニタ（１）ＳＷ、モニタ（２）ＳＷ）、通話路切替手段１３７等を制御する制御手段１４０である。
【００１９】
以上のように構成された室内親機１１０について、以下その動作について説明する。カメラ付き玄関子機からの着信の時は、従来例と同じためここでは省略し、ここでは、室内親機１１０のＬＥＤ表示スイッチ入力手段１３９のモニタ（２）ＳＷを押下した時の動作を説明する。モニタ（１）ＳＷは、カメラ付き玄関子機１１１の映像を見るときに使用され、モニタ（２）ＳＷは、カメラ付き玄関子機１１６の映像を見るときに使用される。まず、モニタ（２）ＳＷを押下したとき、制御手段１４０は、１回目の操作ならば映像通話路切替手段１３７を介してＳＷ３によりカメラ給電回路１２６、カメラ子機通話回路１２９、映像信号切替１２３を監視カメラ１１３側に切り替える。これより、監視カメラ１１３を利用した監視システムとしてテレビドアホンを利用することができる。また、制御手段１４０は、２回目の操作なら映像通話路切替手段１３７を介してＳＷ３によりカメラ給電回路１２６、カメラ子機通話回路１２９、映像信号切替１２３をカメラ付き玄関子機接続手段１１５または１１６側に切り替えるこれにより、従来通りの映像と通話ができることになる。さらにモニタ（２）ＳＷを押下することにより、これらが相互に繰り返され、テレビドアホンを使った監視システムと従来からのテレビドアホンが構築できることになる。
【００２０】
なお、ここでは、カメラ付き玄関子機１１２で説明したが、カメラ付き玄関子機１１１でもよく、この場合にはモニタＳＷは（１）となる。また、モニタＳＷの押す回数と映る映像の関係はどうのように設定しても良い。
【００２１】
【発明の効果】
以上のように、本発明によれば、監視カメラ、センサ、カメラ付き玄関子機、カメラ無し玄関子機等を組み合わせることにより、テレビドアホンを使って種々の監視システムを構築することが可能であり、その実用効果は大なるものがある。
【図面の簡単な説明】
【図１】本発明の第１の実施の形態におけるテレビドアホン装置のブロック図
【図２】本発明の第２の実施の形態におけるテレビドアホン装置のブロック図
【図３】本発明の第３の実施の形態におけるテレビドアホン装置のブロック図
【図４】従来例におけるテレビドアホン装置のブロック図
【符号の説明】
１０、１０Ａ  室内親機
１５、１６  カメラ付き玄関子機接続手段
１７  カメラ無し玄関子機接続手段
３６  カメラ無し玄関子機接続判定手段
３７  通話路切替手段
３８  カメラ無し玄関子機接続有無記憶手段
３９  モニタスイッチを備えたＬＥＤ表示スイッチ入力手段
１００  室内親機
１１５、１１６  カメラ付き玄関子機接続手段
１１７  監視カメラ接続手段
１３９  モニタスイッチを備えたＬＥＤ表示スイッチ入力手段
１３７  映像通話路切替手段
【図１】
0003636270.tif 000002
【図２】
0003636270.tif 000003
【図３】
0003636270.tif 000004
【図４】
0003636270.tif 000005